(57)【要約】【課題】カードコネクタの小型化を阻むことがなく、簡単な構造にもかかわらず放熱効果の高いカード放熱機構を備えるカードコネクタを提供する。【解決手段】ヒンジ部を介して第１筐体部と第２筐体部とが連結されることで折り畳み可能であり、第２筐体部に放熱パッド部が形成されたＩＣカードを装着するためのカードコネクタであって、ＩＣカードの第１筐体部に形成されるコンタクト・パッドと接続されるコンタクトが複数配列されたコネクタベースと、天板および左右の側壁を含み、コネクタベースと重ね合わせることにより、ＩＣカードの第１筐体部が挿入されるカード挿入口および該第１筐体部の一部を収容するカード収容空間を形成する金属カバーを備え、金属カバーは、第１筐体部の一部がカード収容空間に収容された状態において、第１筐体部と第２筐体部の間に位置し、金属カバーに形成された弾性接触片によって第２筐体部に形成される放熱パッド部と接触する。【選択図】図２
2010218955.tif 000002
【特許請求の範囲】
【請求項１】
ヒンジ部を介して第１筐体部と第２筐体部とが連結され、折り畳み可能であり、折り畳まれたときに第１筐体部の表面と第２筐体部の裏面が対向し、第２筐体部裏面に放熱パッド部が形成されたＩＣカードを装着するためのカードコネクタであって、
前記ＩＣカードの第１筐体部の裏面に形成されるコンタクト・パッドと電気的に接続されるコンタクトが複数配列されたコネクタベースと、
少なくとも天板および左右の側壁を含み、前記コネクタベースと重ね合わせることにより、前記ＩＣカードの第１筐体部が挿入されるカード挿入口および前記ＩＣカードの第１筐体部の少なくとも一部を収容するカード収容空間を形成する金属カバーと、
を備え、
前記金属カバーは、前記ＩＣカードが折り畳まれ、前記第１筐体部の一部が前記カード収容空間に収容された状態において、前記第１筐体部と前記第２筐体部の間に位置し、前記金属カバーの天板に形成された弾性接触片によって前記第２筐体部に形成される放熱パッド部と接触することを特徴とするカードコネクタ。
【請求項２】
前記金属カバー天板から前記ＩＣカードの前記第２筐体部の厚みよりも大きい高さを有する連結部、該連結部上端から前記天板に平行に延在する保持片を含む保持部材をさらに備えることを特徴とする請求項１記載のカードコネクタ。
【請求項３】
前記保持部材の連結部は、互いに対向するように対をなして形成され、前記保持部材の保持片は、前記第２筐体部の側部を保持することを特徴とする請求項２記載のカードコネクタ。
【請求項４】
前記保持部材は、前記弾性接触片よりも前記コネクタの挿入口近傍に設けられることを特徴とする請求項３記載のカードコネクタ。
【請求項５】
前記保持部材の連結部は、前記第２筐体部の後端面に当接するように形成され、前記保持部材の保持片は前記第２筐体部の後端部を保持することを特徴とする請求項２記載のカードコネクタ。
【請求項６】
前記保持部材の保持片は、その後端部において前記カード挿入口に向って上方に傾斜する傾斜面が形成されていることを特徴とする請求項２ないし請求項５のいずれかに記載のカードコネクタ。
【発明の詳細な説明】
【技術分野】
【０００１】
本発明は、カードコネクタに関し、特に、装着されるカードのためのカード放熱機構を備えるカードコネクタに関する。
【背景技術】
【０００２】
携帯電話機、携帯型の音楽または動画再生機器、デジタルカメラ、などの電子機器においては、集積回路を内蔵したメモリカードや機能拡張用カードなど（以下、単に、「ＩＣカード」という。）が装着され、該ＩＣカードと電子機器とを電気的に接続するカードコネクタが従来から知られている。ところで、近年の電子機器とＩＣカードとの間の信号の高速伝送化やメモリの大容量化が求められている。信号の高速伝送化や大容量化の結果として、消費電力が増大し、それに伴って、ＩＣカード自身が発熱することが考えられる。ＩＣカード自身の発熱により、モールド成形されたＩＣカード自身の膨張や歪または損傷、あるいは、ＩＣカードの外部接点とカードコネクタのコンタクトとの電気的な接続の不良などを招く恐れがあった。そのため、特許文献１に示されるように、ＩＣカードの発熱を吸収すべく、カードコネクタに装着されているＩＣカードにヒートシンクを接触させて該ＩＣカードから放熱させ、ＩＣカードを所定の温度以下に維持するカード放熱機構が知られている。
【先行技術文献】
【特許文献】
【０００３】
【特許文献１】特開２００５−３２２４９８号公報
【発明の概要】
【発明が解決しようとする課題】
【０００４】
特許文献１に示されるように、従来のカード放熱機構は、カードの挿入後または挿入に伴い、カードの上方からメモリカードにヒートシンクを接触させている。このような放熱機構は、構造が複雑になるため、カードコネクタ製造を難しくするとともに、製造コストを上昇させる一因となっていた。また、カード放熱機構を設けるためのスペースを必要とするためカードコネクタが大型化し、該カードコネクタが装着される電子機器の小型化の妨げになっていた。
【０００５】
本発明の目的は、上記問題点に鑑み、カードコネクタの小型化を阻むことがなく、簡単な構造にもかかわらず放熱効果の高いカード放熱機構を備えるカードコネクタを提供することにある。
【課題を解決するための手段】
【０００６】
上記目的を達成するため、本発明に係るカードコネクタは、ヒンジ部を介して第１筐体部と第２筐体部とが連結され、折り畳み可能であり、折り畳まれたときに第１筐体部の表面と第２筐体部の裏面が対向し、第２筐体部裏面に放熱パッド部が形成されたＩＣカードを装着するためのカードコネクタであって、前記ＩＣカードの第１筐体部の裏面に形成されるコンタクト・パッドと電気的に接続されるコンタクトが複数配列されたコネクタベースと、少なくとも天板および左右の側壁を含み、前記コネクタベースと重ね合わせることにより、前記ＩＣカードの第１筐体部が挿入されるカード挿入口および前記ＩＣカードの第１筐体部の少なくとも一部を収容するカード収容空間を形成する金属カバーと、を備え、前記金属カバーは、前記ＩＣカードが折り畳まれ、前記第１筐体部の一部が前記カード収容空間に収容された状態において、前記第１筐体部と前記第２筐体部の間に位置し、前記金属カバーの天板に形成された弾性接触片によって前記第２筐体部に形成される放熱パッド部と接触することを特徴とする。
【０００７】
また、本発明に係るカードコネクタは、前記金属カバー天板から前記ＩＣカードの前記第２筐体部の厚みよりも大きい高さを有する連結部、該連結部上端から前記天板に平行に延在する保持片を含む保持部材をさらに備えることを特徴とする。
【０００８】
さらに、本発明に係るカードコネクタは、前記保持部材の連結部が、互いに対向するように対をなして形成され、前記保持部材の保持片は、前記第２筐体部の側部を保持するようにしてもよいし、前記第２筐体部の後端面に当接するように形成され、前記保持部材の保持片は前記第２筐体部の後端部を保持するようにしてもよい。
【０００９】
また、前記保持部材の保持片は、その後端部において前記カード挿入口に向って上方に傾斜する傾斜面が形成されていることが好ましい。
【発明の効果】
【００１０】
本発明に係るカードコネクタは、ヒンジ部を介して第１筐体部と第２筐体部とが連結され、折り畳み可能なＩＣカードの放熱用パッド部に、該ＩＣカードが装着されるカードコネクタの金属カバーに形成される弾性接触片が接触するように構成されている。したがって、本発明のカードコネクタは、簡易な構造で、該カードコネクタの金属カバーを介して、ＩＣカードから発生する熱を効果的に放熱することが可能となり、ＩＣカード自身の膨張による変形が抑制されるとともに、ＩＣカードとコンタクトの電気的接触が確実に保持される。
【図面の簡単な説明】
【００１１】
【図１】本発明に係るカードコネクタに装着されるＩＣカードを示し、（ａ）は、開いた状態にあるＩＣカードの斜視図であり、（ｂ）は、閉じた状態にあるＩＣカードの斜視図である。
【図２】本発明の第１の実施例に係るカードコネクタを示し、（ａ）は、ＩＣカードが装着されていない状態のカードコネクタの斜視図であり、（ｂ）は、図１のＩＣカードが装着されている状態のカードコネクタの斜視図である。
【図３】本発明の第２の実施例に係るカードコネクタを示し、（ａ）は、ＩＣカードが装着されていない状態のカードコネクタの斜視図であり、（ｂ）は、図１のＩＣカードが装着されている状態のカードコネクタの斜視図である。
【図４】本発明の第３の実施例に係るカードコネクタを示し、（ａ）は、図１のＩＣカードが装着されている状態のカードコネクタの斜視図であり、（ｂ）は、ＩＣカードが装着されていない状態のカードコネクタの斜視図である。
【図５】本発明の第４の実施例に係るカードコネクタを示し、（ａ）は、ＩＣカードが装着されていない状態のカードコネクタの斜視図であり、（ｂ）は、図１のＩＣカードが装着されている状態のカードコネクタの斜視図である。
【発明を実施するための形態】
【００１２】
図１ないし５を用いて本発明に係るカードコネクタの好ましいいくつかの実施態様について説明する。
【００１３】
図１は、本発明に係るカードコネクタに装着されるＩＣカードを示し、（ａ）は、開いた状態にあるＩＣカードの斜視図であり、（ｂ）は、閉じた状態にあるＩＣカードの斜視図である。図２は、本発明の第１の実施態様に係るカードコネクタを示し、（ａ）は、図１のＩＣカードが装着されている状態のカードコネクタの斜視図であり、（ｂ）は、ＩＣカードが装着されていない状態のカードコネクタの斜視図である。図３ないし５は、それぞれ、本発明の第２ないし第４の実施態様に係るカードコネクタを示し、いずれも、（ａ）は、ＩＣカードが装着されていない状態のカードコネクタの斜視図であり、（ｂ）は、図１のＩＣカードが装着されている状態のカードコネクタの斜視図である。
【００１４】
図１（ａ）、（ｂ）に示されるように、本発明に係るカードコネクタに装着されるＩＣカード１０は、折り畳むことが可能なＩＣカードである。本実施態様におけるＩＣカード１０は、第１筐体部１１および該第１筐体部１１にヒンジ部１４を介して折り畳み可能に連結されている第２筐体部１２を備えている。本実施態様におけるＩＣカード１０は、カードコネクタ２０に装着されたとき、図１（ｂ）に示されるように、閉じた状態、すなわち、折り畳まれた状態となる。このとき、ＩＣカード１０は、その第１筐体部１１が下に位置し、第２筐体部１２が上に位置する。ＩＣカード１０の第２筐体部１２は、折り畳まれることで、その表面１２ａが上を向き、その裏面１２ｂが下を向き、したがって、第２筐体部１２の裏面１２ｂは、第１筐体部１１の表面１１ａと向き合った状態となっている。なお、ＩＣカード１０は、折り畳まれたとき、向き合った状態にある第１筐体部１１の表面１１ａと第２筐体部１２の裏面１２ｂが少なくともカードコネクタ２０の金属カバー４０の天板４１の厚さ分間隔をあけて配置されるように構成されていることが好ましい。また、ＩＣカード１０の第２筐体部１２の後端面１９は、図１（ａ）に示されるＩＣカード１０が開いている状態にあるとき後方を向いているが、ＩＣカード１０が図１（ｂ）に示されるように、折り畳まれると、前方を向いた状態になる。
【００１５】
第１筐体部１１には、従来のＩＣカードと同様に、誤挿入防止のための切欠１６、ライトプロテクトスイッチ１７およびカードロック用凹部１８が設けられている。また、図１（ａ）、（ｂ）には示されていないが、ＩＣカード１０の第１筐体部１１の裏面には、複数のコンタクト・パッド（外部接点）が前端面１５に平行に配列されている。
【００１６】
このような折り畳み式ＩＣカード１０に、従来のように、ＩＣカード１０の上面（本実施態様では、第２筐体部１２の表面１２ａ）からヒートシンクを介して放熱させる構成を適用すると、カードコネクタの高さを、ひいては電子機器全体の高さを増大化させることになる。また、折り畳まれたことによりＩＣカード１０の高さが大きくなることで、伝熱経路も長くなり、熱が逃げ難く放熱効果が劣る。
【００１７】
そこで本実施態様においては、図１（ａ）に示されるように、第２筐体部１２の裏面１２ｂに、ＩＣカード１０から発生する熱を放熱するための放熱パッド部１３ａ、１３ｂが設けられる。該放熱パッド部１３ａ、１３ｂは、本実施態様では、図１（ａ）に示されるように、第２筐体部１２の裏面１２ｂの左右両側部に対をなして設けられているがこれに限定されるものではない。例えば、放熱パッド部は、第２筐体部１２の裏面１２ｂの中央部に、対をなして設けられていてもよいし、１つだけ設けられていてもよいし、２以上設けられていてもよい。放熱パッド部１３ａ、１３ｂを第２筐体部１２の裏面１２ｂに配置することにより、本実施態様のような折り畳み式ＩＣカード１０から発生する熱を効率的に放熱させることが可能となる。すなわち、後述するように、折り畳まれたＩＣカード１０の第１筐体部１１と第２筐体部１２との間にカードコネクタ２０の金属カバー４０が介在する。したがって、ＩＣカード１０の第１筐体部１１は下面側から、第２筐体部１２は放熱パッド部１３ａ、１３ｂを介して上面側からカードコネクタ２０の金属カバー４０に接触することになる。それにより、該金属カバー４０を通ってカードコネクタ２０が取り付けられている電子機器へ熱が伝導し、ＩＣカード１０から発生する熱を電子機器へ放熱させることが可能となる。
【実施例１】
【００１８】
図２（ａ）、（ｂ）に、上記折り畳み式ＩＣカード１０を装着するのに適した本発明に係るカードコネクタ２０の一例が示されている。
【００１９】
図２（ａ）に示されるように、カードコネクタ２０は、概略、合成樹脂製のコネクタベース３０および金属カバー４０とからなる。本実施例に係るカードコネクタ２０においては、金属カバー４０がコネクタベース３０を上から覆うように重ね合わせることで、ＩＣカード１０の第１筐体部１１の少なくとも一部を収容し得るカード収容空間が形成される。カード収容空間の後端は、後方に向って開放しており、ＩＣカード１０の第１筐体部１１を収容し得るように、該第１筐体部１１の前端面１５が案内されるカード挿入口２５として形成されている。
【００２０】
コネクタベース３０の前方には、図２（ａ）には示されていないが、従来例と同様、複数の片持ち梁状に保持されるコンタクトが前後方向に互いに平行に配列されている。該複数のコンタクトは、ＩＣカード１０の第１筐体部１１の裏面に形成されている複数のコンタクト・パッドにそれぞれ対応し、該コンタクト・パッドに電気的に接続される。コネクタベース３０には、また、同じく示されていないが、カードロック用凹部１８とともにＩＣカード１０の抜けを防止するためのロック機構や、ライトプロテクトスイッチ１７の位置を検知する検知手段などが設けられている。コネクタベース３０には、さらに、ＩＣカード１０をカードコネクタ１０から取り外すことを助けるためのカードイジェクト機構が設けられていてもよい。
【００２１】
本実施例における金属カバー４０は、例えば、ベリリウム銅などの銅合金からなり、概略、天板４１、左右の側壁４２ａ、４２ｂを含んでいる。金属カバー４０は、上述したように、コネクタベース３０と重ね合わせることで、カードコネクタ２０を構成する。また、金属カバー４０は、図１（ｂ）に示されるように、ＩＣカード１０がカードコネクタ２０に装着されたとき、その天板４１が折り畳まれた該ＩＣカード１０の第１筐体部１１と第２筐体部１２との間に挟まれるように構成されている。
【００２２】
本実施例では、天板４１に、ＩＣカード１０の第２筐体部１２の裏面１２ｂに形成されている放熱パッド部１３ａ、１３ｂに対応して形成される一対の弾性接触片４３ａ、４３ｂが形成されている。また、折り畳まれたＩＣカード１０の第２筐体部１２を天板４１に保持するための保持部材を構成する一対の保持片４５ａ、４５ｂが形成されている。
【００２３】
一対の弾性接触片４３ａ、４３ｂは、それぞれ、天板４１から片持ち梁状に前方に向かって切り起こされている。すなわち、一対の弾性接触片４３ａ、４３ｂそれぞれは、前端が自由端として上下方向に変位可能に形成され、後端は、天板４１に連結される。該一対の弾性接触片４３ａ、４３ｂは、装着されるＩＣカード１０の第２筐体部１２の裏面１２ｂに設けられている一対の放熱パッド部１３ａ、１３ｂに対応して形成される。一対の弾性接触片４３ａ、４３ｂはそれぞれ、ＩＣカード１０が装着されたとき、その自由端側が該放熱パッド１３ａ、１３ｂに面接触するように形成されることが好ましい。但し、該一対の弾性接触片４３ａ、４３ｂは、対応する放熱パッド１３ａ、１３ｂに面接触している時、接触片４３ａ、４３ｂそれぞれの自由端側がカード収容空間内に入り込まないように設計される必要がある。なお、上述したように、ＩＣカード１０に設けられている放熱パッド部１３ａ、１３ｂは対をなして設けられることに限定されるものではなく、したがって、弾性接触片４３ａ、４３ｂも対をなすことに限られるものではない。すなわち、天板４１に形成される弾性接触片は、ＩＣカード１０に形成される放熱パッドに対応して形成されればよい。
【００２４】
一対の保持片４５ａ、４５ｂは、それぞれ、天板４１から内側に向って（図２（ａ）において、右保持片４５ａは、左に向かって、左保持片４５ｂは、右に向かって）切り起こされている。該一対の保持片４５ａ、４５ｂは、上記一対の弾性接触片４３ａ、４３ｂより後方であって、互いに対向するように設けられる。保持片４５ａ、４５ｂを弾性接触片４３ａ、４３ｂより後方に設けることにより、ＩＣカード１０を弾性接触片４３ａ、４３ｂに対して正確に案内することができる。それにより、弾性接触片４３ａ、４３ｂと放熱パッド１３ａ、１３ｂとの接触信頼性を向上させることが可能となる。一対の保持片４５ａ、４５ｂは、図２（ａ）に示されるように、ＩＣカード１０がカードコネクタ２０に対して確実に装着され、保持されるように、折り畳まれたＩＣカード１０の第２筐体部１２を天板４１に対して保持する保持部材を構成する。なお、折り畳まれたＩＣカード１０の第２筐体部１２の通過を容易にするために、左右一対の保持片４５ａ、４５ｂは、後端部が後方に向って斜め上方に傾斜する傾斜面を備えることが好ましい。
【００２５】
より具体的には、右保持片４５ａは、天板４１に対して垂直をなすように該天板４１から切り起こされている右連結部４４ａを備え、該右連結部４４ａ上端から内側に向って天板４１に対して平行に延在するように折り曲げられている。左保持片４５ｂは、天板４１に対して垂直をなすように該天板４１から切り起こされている左連結部４４ｂを備え、該左連結部４４ｂ上端から内側に向って天板４１に対して平行に、右保持片４５ａと対称的に延在するように折り曲げられている。左右の連結部４４ａ、４４ｂも対をなしており、左右の保持片４５ａ、４５ｂとともに保持部材を構成する。左右の連結部４４ａ、４４ｂの間隔は、装着されるＩＣカード１０の第２筐体部１２の幅（左右方向の長さ）より若干大きく設定され、左右の連結部４４ａ、４４ｂそれぞれの高さはＩＣカード１０の第２筐体部１２の厚さより若干大きく設定される。なお、折り畳まれたＩＣカード１０の第２筐体部１２の案内をするために、該左右の連結部４４ａ、４４ｂは、互いに平行であってもよいが、後方に向ってテーパ状に拡開するように形成されていてもよい。
【００２６】
連結部４４ａ、４４ｂおよび一対の保持片４５ａ、４５ｂからなる保持部材をこのように構成することで、折り畳まれたＩＣカード１０の第２筐体部１２の左右側部が、天板４１上に保持される。それにより、第２筐体部の放熱パッド部１３ａ、１３ｂを一対の弾性接触片４３ａ、４３ｂ上の所定の位置に案内し、両者を確実に面接触させることが可能となる。
【００２７】
本実施例に係るカードコネクタ２０に、折り畳み可能なＩＣカード１０を装着する動作について簡単に説明する。
【００２８】
ＩＣカード１０は、カードコネクタ２０に装着される前に、図１（ｂ）に示されるように予め折り畳まれていることが好ましい。折り畳まれたＩＣカード１０の第１筐体部１１を下にして、該第１筐体部１１の前端面１５をカードコネクタ２０のカード挿入口２５から前方に向ってカード収容空間内に挿入する。ＩＣカード１０のヒンジ部１４を前方に向って押し込むことで、ＩＣカード１０の第１筐体部１１は、カードコネクタ２０のカード挿入口２５からカード収容空間内へ進入する。ＩＣカード１０の第１筐体部１１のカード収容空間内への進入に伴い、ＩＣカード１０の折り畳まれた第２筐体部１２の後端面１９が、天板４１の後端から天板４１に切り起こされている一対の連結部４４ａ、４４ｂ間に到達する。続いて、ＩＣカード１０の折り畳まれた第２筐体部１２が一対の連結部４４ａ、４４ｂ間を通り抜けると同時に、一対の保持片４５ａ、４５ｂの下を通り抜ける。ＩＣカード１０の第１筐体部１１の前端面１５がコンタクトベース３０の前壁（不図示）に当接することで、第１筐体部１１のカード収容空間内への進入が停止し、ＩＣカード１０の押し込みを解除することで、図２（ｂ）に示されるように、カードコネクタ２０へのＩＣカード１０の装着も完了する。
【００２９】
この時、第２筐体部１２の裏面１２ｂは、一対の保持片４５ａ、４５ｂにより天板４１の上面に対し所定の間隔を有するように保持される。なお、一対の保持片４５ａ、４５ｂは、第２筐体部１２の裏面１２ｂが天板４１の上面に接触するように配置されてもよいが、第２筐体部１２の裏面１２ｂと天板４１の上面との間に若干の間隔が形成されるように配置されることが好ましい。また、装着されたＩＣカード１０の第２筐体部１２の裏面１２ｂに形成されている一対の放熱パッド部１３ａ、１３ｂは、対応する天板４１の一対の弾性接触片４３ａ、４３ｂに所定の接圧で面接触する。さらに、ＩＣカード１０の第１筐体部１１の表面１１ａも金属カバー４０に対してその下面側から接触することになる。それにより、ＩＣカード１０から発生する熱は、金属カバー４０を介してカードコネクタ２０が取り付けられている電子機器へ効果的に放熱される。
【００３０】
次に、図３（ａ）、（ｂ）、図４（ａ）、（ｂ）および図５（ａ）、（ｂ）に、示される、本発明に係るカードコネクタの別の実施例について説明する。
【実施例２】
【００３１】
図３（ａ）および（ｂ）に示される実施例に係るカードコネクタ２２０は、上記図２（ａ）、（ｂ）に示されるカードコネクタ２０と比べて、第２筐体部１２の保持部材としての保持片２４７の天板２４１上での設置位置が異なるのみでその他の構成は同じである。すなわち、本実施例におけるカードコネクタ２２０も、コンタクトベース２３０と金属カバー２４０とで、ＩＣカード１０の第１筐体部１１の少なくとも一部が収容されるカード収容空間が形成される。
【００３２】
本実施例においては、保持部材としての保持片２４７は、ＩＣカード１０の一対の放熱パッド１３ａ、１３ｂに対応して形成されている一対の弾性接触片２４３ａ、２４３ｂの間に位置し、天板２４１から後方に向かって切り起こされている。本実施例における保持片２４７は、その設置位置から理解されるように、ＩＣカード１０の放熱パッド１３ａ、１３ｂが左右両側に対称的に配置されている場合に適している。すなわち、対応する弾性接触片２４３ａ、２４３ｂが天板２４１の左右両側に対称的に配置される場合に適している。しかしながら、本実施例における保持片２４７は、ＩＣカード１０の放熱パッド１３ａ、１３ｂが左右両側に対称的に配置されている場合に限られるものではない。
【００３３】
より具体的には、保持部材を構成する保持片２４７は、天板４１から切り起こされている連結部２４６を備え、該連結部２４６上端から後方に向って天板４１に対して平行に延在するように折り曲げられている。保持部材を構成する連結部２４６は、一対の弾性接触片２４３ａ、２４３ｂの自由端より若干前方の位置で天板２４１に対して垂直をなし、かつ左右方向に延在するように切り起こされる。言い換えれば、連結部２４６は、折り畳まれたＩＣカード１０がカードコネクタ２２０に装着されたとき、その第２筐体部１２の後端面１９が当接し得るように切り起こされる。したがって、本実施例における保持片２４７は、折り畳まれたＩＣカード１０の第２筐体部１２の後端部中央を保持し得る。本実施例においても、折り畳まれたＩＣカード１０の第２筐体部１２の通過を容易にするために、保持片２４７は、その後端部が後方に向って斜め上方に傾斜する傾斜面２４７ａを備えることが好ましい。
【００３４】
本実施例においては、連結部２４６および保持片２４７からなる保持部材をこのように構成することで、折り畳まれたＩＣカード１０の第２筐体部１２を天板２４１上の一対の弾性接触片２４３ａ、２４３ｂの近傍で保持することができる。それにより、第２筐体部の放熱パッド部１３ａ、１３ｂを一対の弾性接触片２４３ａ、２４３ｂ上の所定の位置に案内し、両者を確実に面接触させることができる。なお、本実施例において天板２４１に設けられている保持片２４７は単一部材として形成されているが、これに限られるものではなく、例えば、左右に分割された状態で複数設けられていてもよい。
【実施例３】
【００３５】
図４（ａ）および（ｂ）に示される実施例に係るカードコネクタ３２０は、上記図２（ａ）、（ｂ）に示されるカードコネクタ２０と図３（ａ）、（ｂ）に示されるカードコネクタ２２０を組み合わせたものである。すなわち、本実施例におけるカードコネクタ３２０も、コンタクトベース３３０と金属カバー３４０とで、ＩＣカード１０の第１筐体部１１の少なくとも一部が収容されるカード収容空間が形成されることでは上記実施例と同じである。
【００３６】
具体的には、本実施例では、カードコネクタ３２０の金属カバー３４０の天板３４１に、ＩＣカード１０の第２筐体部１２の放熱パッド１３ａ、１３ｂに対応して、左右一対の弾性接触片３４３ａ、３４３ｂが片持ち梁状に前方を向いて切り起こされている。さらに、本実施例では、天板３４１に設けられている左右一対の弾性接触片３４３ａ、３４３ｂの間であってその近傍に、連結部３４６を介して保持片３４７が後方を向いて切り起こされている。また、左右一対の保持片３４５ａ、３４５ｂが天板３４１後方に互いに内側を向いて、それぞれの連結部３４４ａ、３４４ｂを介して切り起こされている。
【００３７】
本実施例においては、このように、保持部材として連結部３４６、保持片３４７および一対の連結部３４４ａ、３４４ｂ、一対の保持片３４５ａ、３４５ｂを設けることで、折り畳まれたＩＣカード１０の第２筐体部１２をより確実に保持することができる。また、第２筐体部の放熱パッド部１３ａ、１３ｂを一対の弾性接触片３４３ａ、３４３ｂ上の所定の位置に案内し、両者を確実に面接触させることができる。
【実施例４】
【００３８】
図５（ａ）および（ｂ）に示される実施例に係るカードコネクタ４２０は、金属カバーに形成されている保持片が全て省略されている点で上記３つの実施例とは異なる。しかしながら、本実施例におけるカードコネクタ４２０も、コンタクトベース４３０と金属カバー４４０とで、ＩＣカード１０の第１筐体部１１の少なくとも一部が収容されるカード収容空間が形成されることでは上記実施例と何ら異なるものではない。
【００３９】
具体的には、本実施例では、カードコネクタ４２０の金属カバー４４０の天板４４１に、ＩＣカード１０の第２筐体部１２の放熱パッド部１３ａ、１３ｂに対応して、左右一対の弾性接触片４４３ａ、４４３ｂが片持ち梁状に前方を向いて切り起こされているだけである。折り畳まれたＩＣカード１０の第２筐体部１２の金属カバー４４０に対する保持、すなわち、一対の放熱パッド部１３ａ、１３ｂの対応する一対の弾性接触片４４３ａ、４４３ｂへの押圧は、カードコネクタ４２０が取り付けられている電子機器を利用する。あるいは、折り畳まれたＩＣカード１０の第２筐体部１２の金属カバー４４１に対する保持は、ＩＣカード１０のヒンジ部１４にＩＣカード１０の第２筐体部１２が第１筐体部１１に対して折り曲げ状態に付勢される付勢部材（不図示）を設けることによってもよい。本実施例のように構成することで、カードコネクタ４２０の製造が容易となる。
【符号の説明】
【００４０】
１０              ＩＣカード
１１              第１筐体部
１２              第２筐体部
１３ａ、１３ｂ    放熱パッド部
１４              ヒンジ部
１９              （第２筐体部の）後端面
２０、２２０、３２０、４２９  カードコネクタ
３０、２３０、３３０、４３０  コネクタベース
４０、２４０、３４０、４４０  金属カバー
４３ａ、４３ｂ    弾性接触片
４４ａ、４４ｂ    接続部
４５ａ、４５ｂ    保持片
２４７            保持片
２４７ａ          傾斜面
【図１】
2010218955.tif 000003
【図２】
2010218955.tif 000004
【図３】
2010218955.tif 000005
【図４】
2010218955.tif 000006
【図５】
2010218955.tif 000007